(57)【要約】      （修正有）【課題】既存のスーツケースの機能や外観を損ねることなく、スーツケースが本来備えている側部の底足を利用することにより、長傘を手軽に着脱可能とできる簡易で低コストな傘保持機構を備えるスーツケースの底足、及び該底足を備えたスーツケースを提供する。【解決手段】スーツケースの側面の上部寄りに設けられる上部底足１と、下部寄りに設けられる下部底足２とからなる一対二個のスーツケースの底足であって、上部底足には傘の上部を、下部底足には傘の下部を、それぞれ通して保持可能な略円筒状の傘保持環１２、１３を、スーツケースの側面の軸線に対して垂直方向の回転軸１２ａ、１３ａによりスーツケースの底足本体１０に取り付け、使用時にはスーツケースの側面に対して垂直に起立するまで転回可能とし、収納時には９０度転回してスーツケースの側面に対して平行に転倒可能とした。【選択図】図１
0003228663.tif 000002
【実用新案登録請求の範囲】
【請求項１】
底部に設けたキャスターにより移動可能なスーツケースの側面の上部寄りに設けられる上部底足と、下部寄りに設けられる下部底足とからなる一対二個のスーツケースの底足であって、前記上部底足には傘の上部を、前記下部底足には傘の下部を、それぞれ通して保持可能な略円筒状の傘保持環を、それぞれ９０度転回可能に設けてなることを特徴とするスーツケースの底足。
【請求項２】
前記傘保持環は、前記スーツケースの側面の軸線に対して垂直方向の回転軸により前記上部底足、下部底足に取り付けられており、使用時には前記スーツケースの側面に対して垂直に起立するまで転回可能とし、収納時には９０度転回して前記スーツケースの側面に対して平行に転倒可能としたことを特徴とする請求項１に記載のスーツケースの底足。
【請求項３】
前記上部底足、下部底足は、回転軸受部を備える底足本体と、回転軸部を備える前記傘保持環と、固定部材とからなり、前記回転軸受部に前記回転軸部を嵌合した状態で前記固定部材により前記底足本体に前記傘保持環を転回可能に固定でき、前記傘保持環がない状態でも前記底足本体に前記固定部材を嵌合可能としたことを特徴とする請求項１または請求項２のいずれかに記載のスーツケースの底足。
【請求項４】
スーツケースの側面に設けられる二対四個の底足のうち、少なくとも一対二個の底足として、請求項１から３のいずれかに記載の一対二個のスーツケースの底足を設けたことを特徴とするスーツケース。
【考案の詳細な説明】
【技術分野】
【０００１】
本考案は、旅行用スーツケース（キャリーバッグとも称される）に代表される、底部に設けたキャスターにより移動可能な硬質の外殻を有する比較的大型の荷物収納具の側部に取り付け可能な底足であって、必要に応じて畳んだ傘を保持可能とした底足に関し、また、該底足を備えたスーツケースに関する。
【背景技術】
【０００２】
一般的なスーツケースは、底部の四隅にキャスターを、上部に上部把手及び引出し式の牽引用ハンドルを、一方の側面の中央に側部把手を、他方の側面の四隅には樹脂製の底足を備えている。移動の際には４つのキャスターを接地させてスーツケースを立てた状態で押すか、牽引用ハンドルを引き出してスーツケースを傾け、片側一対のみのキャスターを接地させた状態で牽引する。一方、移動しない場合は、スーツケースを側方に倒して前記他方の側面を底にし、４つの底足を接地させることで安定した状態とする。
【０００３】
旅行者等のスーツケースの使用者は、空港や駅においてスーツケースを主にキャスターを接地させた状態で運ぶが、雨天時に使用する傘は、折畳式でない長傘の場合、一般的には寸法上スーツケースには収納できず、収納できたとしても雨で濡れた状態で収納することは望ましくない。また、建物を出入りする都度に開閉する必要のある傘を、いちいちスーツケースに収納することは不便であり、かといって、スーツケースを移動させながら傘を携行すると両手が塞がってしまうため、やはり不便である。
【０００４】
こうした不便を解消するべく、特許文献１〜４のような傘収納機構を設けたスーツケースや鞄が提案されている。
【特許文献１】特開２０１０−２６４０３９号公報特許公報
【特許文献２】実用新案登録第３１６０５９０号登録実用新案公報
【特許文献３】実用新案登録第３２０８１５２号登録実用新案公報
【特許文献４】実用新案登録第３１６４８３９号登録実用新案公報
【０００５】
たとえば、特許文献１には、独立した傘収納スペースをケース外側に設け、このスペースに開閉自在な蓋板を取り付けてケースを開閉することなく容易に傘を出し入れできるスーツケースが開示されているが、この場合、傘収納スペースによりスーツケース自体の収納スペースが侵食されるという問題があった。特許文献２には、スーツケースのキャリーバー内桿の間の空間を利用して傘収納スペースを設けたスーツケースが開示されているが、この場合、雨で濡れた傘を収納することによる水滴の排水が問題となる。特許文献３には、キャリーバー内桿の間の空間に設けた凹部に上下一対の可倒フラップを備えるプレートを設け、外部に垂直に展開させたフラップに傘を通して保持させるキャリーバッグが開示されているが、構造が複雑でコストが嵩むだけでなく、この場合、傘がキャリーバッグの背面外部に突出する形で保持されるため、使用者が傘を保持させたキャリーバッグを身体の真横に置いた際に、濡れた傘が脚の外側面に触れて衣服を濡らすおそれがあり、電車・バスの車内やエレベーター内のような狭い空間では不都合である。特許文献４に開示された傘携帯機能付鞄は、鞄の側面に設けた上下一対の面ファスナー付の帯状の紐で傘を鞄に縛りつける最も簡易で低コストな構成を有するが、かかる構成をスーツケースの側面に適用した場合には、傘の着脱に手間が掛かるだけでなく、傘を保持させない場合は紐が遊んだ状態となって美感を損ね、スーツケースを倒して側部把手を把持する状態では、紐が床や地面に触れて汚れることとなる。
【考案の概要】
【考案が解決しようとする課題】
【０００６】
本考案は、かかる先行技術の問題点を解消するべく創案されたものであり、既存のスーツケースの機能や外観を損ねることなく、スーツケースが本来備えている側部の底足を利用することにより、長傘を手軽に着脱可能とできる簡易で低コストな傘保持機構を備えるスーツケースの底足、及び該底足を備えたスーツケースを提供することを課題とする。
【課題を解決するための手段】
【０００７】
上述した課題を解決するために、請求項１に記載した考案は、底部に設けたキャスターにより移動可能なスーツケースの側面の上部寄りに設けられる上部底足と、下部寄りに設けられる下部底足とからなる一対二個のスーツケースの底足であって、前記上部底足には傘の上部を、前記下部底足には傘の下部を、それぞれ通して保持可能な略円筒状の傘保持環を、それぞれ９０度転回可能に設けてなることを特徴とする。なお、本考案における「スーツケースの側面」とは、通常のスーツケースにおいて、側部把手を有する側面の反対面であり、側部把手が上方に位置させた場合に接地する底足を有する側面を意味する。
【０００８】
また、請求項２に記載したスーツケース等の底足は、請求項１に記載したスーツケースの底足であって、前記傘保持環は、前記スーツケースの側面の軸線に対して垂直方向の回転軸により前記上部底足、下部底足に取り付けられており、使用時には前記スーツケースの側面に対して垂直に起立するまで転回可能とし、収納時には９０度転回して前記スーツケースの側面に対して平行に転倒可能としたことを特徴とする。
【０００９】
また、請求項３に記載したスーツケース等の底足は、請求項１または請求項２のいずれかに記載したスーツケースの底足であって、前記上部底足、下部底足は、回転軸受部を備える底足本体と、回転軸部を備える前記傘保持環と、固定部材とからなり、前記回転軸受部に前記回転軸部を嵌合した状態で前記固定部材により前記底足本体に前記傘保持環を転回可能に固定でき、前記傘保持環がない状態でも前記底足本体に前記固定部材を嵌合可能としたことを特徴とする。
【００１０】
また、請求項４に記載のスーツケースは、スーツケースの側面に設けられる二対四個の底足のうち、少なくとも一対二個の底足として、請求項１から３のいずれかに記載の一対二個のスーツケースの底足を設けたことを特徴とする。
【考案の効果】
【００１１】
請求項１及び請求項２の記載した本考案に係るスーツケースの底足は、通常のスーツケースが備える二対四個の底足のうち、スーツケースの側部の上部寄りに設けられる上部底足と、下部寄りに設けられる下部底足とからなる一対二個のスーツケースの底足に、それぞれ傘保持環を追加したのみの簡易な構成であり、従来の底足に代えてスーツケースに装着するだけで済むため、スーツケース自体の設計変更を必要とせず、低コストで実施可能である。
【００１２】
また、傘を単に閉じた状態で両傘保持環に挿通させるだけで保持可能であり、傘を傘保持環から抜脱させれば直ちに傘が使用可能となるため、使用方法が容易である。
【００１３】
また、両傘保持環は、傘を保持する際にはスーツケースの側面から展開させ、傘を保持させない場合はスーツケースの側面に対して平行に転倒させることが可能であるため、不要な場合に邪魔にならず、スーツケースの側面を接地させた際にも接地面と抵触しない。
【００１４】
請求項３に記載した本考案に係るスーツケースの底足は、両傘保持環が着脱可能であり、傘の保持が不要な場合には傘保持環を取り外すことができるため、スーツケース自体の美感を損ねない。
【００１５】
請求項４に記載したスーツケースにおいては、本考案に係るスーツケースの底足を二対設けることにより、２本の傘を同時に保持させることが可能となる。
【考案を実施するための形態】
【００１６】
以下、本考案の実施形態について図を用いて説明する。図１は本考案の一実施形態に係るスーツケースの一対の底足の構成部材の分解状態を示す斜視図であり、左図は上部底足１を、右図は下部底足２を示す。なお、一般的なスーツケースの底足が略直方体をなし、長辺がスーツケースの側面の上下（長手）方向に平行に配置されるのに対して、本実施形態に掛かる各底足は、長辺が側面に対して垂直、すなわち床面に対して水平に配置される。
【００１７】
図２は傘保持環１２を転倒させた状態の上部底足１を示す斜視図であり、図３は下部底足２の傘保持環１３のみの側面図及び平面図である。図４は上部底足１または下部底足２の、傘保持環１２（１３）を転倒させた状態の断面図である。
【００１８】
図５は上部底足１、下部底足２をスーツケースＳに装着した状態を示す図であり、左図は傘保持環１２、１３を転倒させた状態のスーツケースＳの側面を、右図は傘保持環１２、１３を側面に対し９０度転回させた状態のスーツケースＳの平面を表す。
【００１９】
図６は一対の上部底足１、下部底足２を装着したスーツケースＳに傘を保持させる際の状態の遷移を示す連続図である。
【００２０】
上部底足１は、底足本体１０、固定部材１１、上部底足用の傘保持環１２とからなり、下部底足２は、底足本体１０、固定部材１１、下部底足用の傘保持環１３とからなる。
【００２１】
共通部材である底足本体１０は回転軸受部１０ａを備える凹部を有し、該回転軸受部１０ａの中央に嵌合孔１０ｂを設けている。同じく共通部材である固定部材１１は下方に略円筒形の嵌合軸１１ａを備えている。固定部材１１は傘保持環１２、１３の有無に関わらず底足本体１０の凹部に合体可能であり、合体時には嵌合軸１１ａの先端が嵌合孔１０ａに嵌合して着脱可能に固定され、その際、固定部材１１の上面は底足本体１０の上面と面一を成してスーツケースの底足として一体化する。
【００２２】
傘保持環１２、１３はいずれも略円筒状をなし、片側に一対の回転軸部１２ａ、１３ａを突出させている。上部底足用の傘保持環１２は円筒が開放されているのに対し、下部底足用の傘保持環１３は、環内が板部１４で封鎖されており、板部１４には大小の貫通孔１５ａ、１５ｂを有する板部１４を設けている。傘を保持する際には、傘を先端側から上部底足１の傘保持環１２に挿通し、さらに、傘の太さに応じて先端を下部底足２の傘保持環１３の貫通孔１５ａ、１５ｂのいずれかに挿し込むと、適宜の位置で傘が保持される。
【００２３】
上部底足１、下部底足２を組み立てた際には、底足本体１０の回転軸受部１０ａに回転軸部１２ａ、１３ａを嵌め込んだ上で固定部材１１を底足本体１０に合体させることで、傘保持環１２、１３は回動可能に底足本体１０に固定される。また、底足本体の中央部には、上側にストッパー受け突起１６ａを備えるストッパー受け孔１６を、また、傘保持環１２、１３の回転軸部１２ａ、１２ｂの間の環外面にはストッパー１７を設けている。
【００２４】
図５の左図及び及び図６のイ図に示されるように、傘を保持する必要がなく、傘保持環１２、１３をスーツケースＳの側面に対して平行に転倒させた状態では、ストッパー１７がストッパー受け孔１６に嵌入しており、ストッパー受け突起１６ａによって転倒状態が保持されて、傘保持環１２、１３が不用意に転回して飛び出すことが防がれている。
【００２５】
一方、傘保持環１２、１３を引き起こして回動させると、ストッパー１７がストッパー受け孔１６から抜け出してストッパー受け突起１６ａを乗り越え、傘保持環１２、１３の外環面が底足本体１０の回転軸受部１０ａの上面に当接して転回が停止される。この時点で、傘保持環１２、１３は、図５の右図及び図６のロ図に示されるように、スーツケースＳの側面に対して垂直の方向に展開突出した状態となり、図６のハ図のように傘Ｕを保持可能となる。
【００２６】
以上、本考案の実施形態について図面を参照しつつ説明したが、本考案は、必ずしも上述した構成にのみ限定されるものではなく、本考案の目的を達成し、効果を有する範囲内において、適宜変更実施することが可能なものであり、本考案の技術的思想の範囲内に属する限り、それらは本考案の技術的範囲に属する。
【産業上の利用可能性】
【００２７】
本考案に係る底足は、スーツケースに代表される硬質の外殻を有する比較的大型の荷物収納具の側部に取り付けて使用可能である。
【図面の簡単な説明】
【００２８】
【図１】一対の底足の構成部材の分解状態を示す斜視図
【図２】傘保持環１２を転倒させた状態の上部底足１を示す斜視図
【図３】下部底足２の傘保持環１３のみの側面図及び平面図
【図４】傘保持環１２（１３）を転倒させた状態の断面図
【図５】上部底足１、下部底足２をスーツケースＳに装着した状態を示す図
【図６】スーツケースＳに傘を保持させる際の状態の遷移を示す連続図
【符号の説明】
【００２９】
Ｓ                        スーツケース
Ｕ                        傘
１                    上部底足
１０                  底足本体
１０ａ               回転軸受部
１０ｂ                嵌合孔
１２                  傘保持環（上部底足）
１３                  傘保持環（下部底足）
１４                  板部（下部底足）
１５ａ、１５ｂ  貫通孔（下部底足）
１６                  ストッパー受け孔
１６ａ              ストッパー受け突起
１７                  ストッパー
２                        下部底足
【図１】
0003228663.tif 000003
【図２】
0003228663.tif 000004
【図３】
0003228663.tif 000005
【図４】
0003228663.tif 000006
【図５】
0003228663.tif 000007
【図６】
0003228663.tif 000008